(57)【要約】【課題】不連続的メディアトラックにアクセスするための方法、装置およびシステムを提供する。【解決手段】記憶媒体１３０は、その上に独立して形成された単数または複数の記憶領域２１０を有する。各記憶領域２１０はトラックセグメント２２０を含む。メモリ１６０は、各記憶領域２１０に関するトラック・オフセット情報を記憶する。マッピング・モジュール１５０は、トラック・オフセット情報を収集し、隣接する記憶領域間の物理的オフセットを計算し、トラック２３０を規定し、テーブル３００を作成し、トラック・オフセット情報をメモリ内に記憶する。トラッキング・モジュール１４０は、現在の記憶領域内のトラックセグメント２２０の中央線に対するヘッドの位置を検出し、オフセット情報にアクセスし、後続の記憶領域内の近接して並んだトラックセグメントに記憶ヘッドを位置合わせする。【選択図】図１
2006196154.tif 000002
【特許請求の範囲】
【請求項１】
複数のトラックセグメントを含む、複数の独立して形成された記憶領域を有する記憶媒体を提供するステップと、
現在の記憶領域内のトラックセグメントの中央線に対するヘッドの位置を検出するステップと、
後続の記憶領域内の近接して並んだトラックセグメントに対応するトラック・オフセット情報にアクセスするステップと、
前記後続の記憶領域内の前記近接して並んだトラックセグメントに合わせるためにヘッド位置を調整するステップと、
を含むことを特徴とする不連続的メディアトラックにアクセスするための方法。
【請求項２】
前記複数の独立して形成された記憶領域が少なくとも一つの被スタンプ領域を含むことを特徴とする請求項１記載の方法。
【請求項３】
前記少なくとも一つの被スタンプ領域が、電子ビームリソグラフィによりパターン化されたマスターテンプレートから形成されることを特徴とする請求項２記載の方法。
【請求項４】
前記複数の独立して形成された記憶領域が、媒体表面全体に実質的に対応するドーターテンプレートにより形成され、前記ドーターテンプレートが、単一の記憶領域に対応するマスターテンプレートから形成されることを特徴とする請求項１記載の方法。
【請求項５】
前記後続の記憶領域が、前記現在の記憶領域に隣接しない記憶領域を含むことを特徴とする請求項１記載の方法。
【請求項６】
前記複数の独立して形成された記憶領域が、２：１インターリーブ方式を用いてアクセスされることを特徴とする請求項１記載の方法。
【請求項７】
前記後続の記憶領域が、前記現在の記憶領域に隣接する記憶領域を含むことを特徴とする請求項１記載の方法。
【請求項８】
前記記憶媒体をマッピングし、前記複数のトラックセグメントの場所を決定するステップをさらに含むことを特徴とする請求項１記載の方法。
【請求項９】
隣接する記憶領域間の物理的オフセットを計算するステップをさらに含むことを特徴とする請求項１記載の方法。
【請求項１０】
各記憶領域からのトラックセグメントを備えたトラックを規定するステップをさらに含むことを特徴とする請求項１記載の方法。
【請求項１１】
前記トラックセグメントが、後続の記憶領域内の近接して並んだトラックセグメントであることを特徴とする請求項１０記載の方法。
【請求項１２】
トラックにアクセスするステップが、現在の記憶領域から隣接しない記憶領域へと進むステップを含むことを特徴とする請求項１０記載の方法。
【請求項１３】
オフセット情報を収集するステップをさらに含むことを特徴とする請求項１記載の方法。
【請求項１４】
記憶領域内の少なくとも一つのトラックセグメントの場所を規定するテーブルを作成するステップをさらに含むことを特徴とする請求項１記載の方法。
【請求項１５】
前記テーブルをメモリ内に記憶するステップをさらに含むことを特徴とする請求項１４記載の方法。
【請求項１６】
複数のトラックセグメントを含む、複数の独立して形成された記憶領域を有する記憶媒体と、
各記憶領域毎に、前記複数のトラックセグメントの少なくとも一つのトラックセグメントに対応するオフセット情報を記憶するように構成されたメモリと、
現在の記憶領域内のトラックセグメントの中央線に対するヘッドの位置を検出するように構成され、さらに前記オフセット情報にアクセスし、後続の記憶領域内の近接して並んだトラックセグメントに記憶ヘッドを位置合わせするように構成されたトラッキング・モジュールと、
を有することを特徴とする不連続的メディアトラックにアクセスするための装置。
【請求項１７】
前記複数の独立して形成された記憶領域が、少なくとも一つの被スタンプ領域を含むことを特徴とする請求項１６記載の装置。
【請求項１８】
前記少なくとも一つの被スタンプ領域が、電子ビームリソグラフィによりパターン化されたマスターテンプレートから形成されることを特徴とする請求項１７記載の装置。
【請求項１９】
前記少なくとも一つの被スタンプ領域が、媒体表面全体に実質的に対応するドーターテンプレートから形成され、前記ドーターテンプレートが、単一の記憶領域に対応するマスターテンプレートから形成されることを特徴とする請求項１７記載の装置。
【請求項２０】
前記記憶媒体がディスクを含むことを特徴とする請求項１６記載の装置。
【請求項２１】
前記オフセット情報を収集するように構成されたマッピング・モジュールをさらに含むことを特徴とする請求項１６記載の装置。
【請求項２２】
前記マッピング・モジュールがさらに、各記憶領域からのトラックセグメントを含むトラックを規定するように構成されていることを特徴とする請求項２１記載の装置。
【請求項２３】
前記マッピング・モジュールがさらに、記憶領域内の少なくとも一つのトラックセグメントの場所を規定するテーブルを作成するように構成されていることを特徴とする請求項２１記載の装置。
【請求項２４】
前記マッピング・モジュールがさらに、隣接する記憶領域間の物理的オフセットを計算するように構成されていることを特徴とする請求項２１記載の装置。
【請求項２５】
複数のトラックセグメントを含み、複数の独立して形成された記憶領域を有する記憶媒体を含む記憶装置と、
前記記憶装置にアクセスするように構成された記憶アクセス装置と、を有し、
前記記憶装置はさらに、各記憶領域毎に前記複数のトラックセグメントの少なくとも一つのトラックセグメントに対応するオフセット情報を記憶するように構成され、
現在の記憶領域内のトラックセグメントの中央線に対するヘッド位置を検出するように構成され、オフセット情報にアクセスし後続の記憶領域内の近接して並んだトラックセグメントに記憶ヘッドを位置合わせするように構成されていることを特徴とする不連続的メディアトラックにアクセスするためのシステム。
【請求項２６】
前記記憶媒体がディスクを含むことを特徴とする請求項２５記載のシステム。
【請求項２７】
前記複数の独立して形成された記憶領域が少なくとも一つの被スタンプ領域を含むことを特徴とする請求項２５記載のシステム。
【請求項２８】
前記少なくとも一つの被スタンプ領域が、電子ビームリソグラフィによりパターン化されたマスターテンプレートから形成されることを特徴とする請求項２７記載のシステム。
【請求項２９】
前記記憶装置がさらに、オフセット情報を収集するように構成されていることを特徴とする請求項２５記載のシステム。
【請求項３０】
前記記憶装置がさらに、各記憶領域からのトラックセグメントを含むトラックを規定するように構成されていることを特徴とする請求項２５記載のシステム。
【請求項３１】
前記記憶装置がさらに、隣接する記憶領域間の前記物理的オフセットを計算するように構成されていることを特徴とする請求項２５記載のシステム。
【請求項３２】
前記記憶装置がさらに、記憶領域内の少なくとも一つのトラックセグメントの場所を規定するテーブルを作成するように構成されていることを特徴とする請求項２５記載のシステム。
【発明の詳細な説明】
【技術分野】
【０００１】
本発明は記憶媒体に関し、より詳細には、記憶媒体上の不連続的メディアトラックにアクセスすることに関する。
【背景技術】
【０００２】
従来より、ディスクドライブ内で使用される磁気記憶媒体、例えばディスクの記憶容量および面密度は、材料特性、製造工程、計測制限、機械性能等、ある種の制約により制限されてきた。例えば、従来のマルチグレイン磁気媒体は、一般に、帯磁した粒子のランダムクラスタを基板表面に形成する磁気合金の薄層で平坦な基板を被覆することにより生成される。
【０００３】
媒体記憶を生成する従来の工程は、超常磁性効果（すなわち熱擾乱に起因する磁化の変動）と呼ばれる自然発生を含む、幾つかの物理的な制約により制限されてきた。帯磁した粒子クラスタのビットセルが粒子により非常に小さく限定されて磁化が不安定になると、超常磁性効果が記憶媒体に影響する。このような状況では磁化の変動によりデータが消去されることがある。その結果、従来のマルチグレイン磁気媒体では、熱安定性の記憶媒体の面密度は通常１５０Ｇｂｉｔ／ｉｎ２程度に制限されてきた。
【０００４】
一方、近年、磁気媒体に関連する制限の幾つかを回避するための代替物として、極めて均一なアイランドの規則配列を含むパターン化メディアが開発されている。熱安定性のビットまたはトラックセグメントに対応する独立した磁気アイランドを、記憶媒体の表面に形成することができる。パターン化メディアの各アイランドは単数または複数のビットを記憶できることがある。アイランドによりもたらされる磁気分離の結果として、従来のマルチグレイン磁気媒体技術で可能であるよりも面密度や記憶容量が大きい記憶媒体を生成することができる。
【０００５】
パターン化メディアは、当業者に知られている多種多様な方法により形成することができる。パターン化メディアを生成するための提案される一方法に、ナノインプリント・リソグラフィまたはナノインプリント複製がある。この方法では、ｎｍスケールのパターンを有するスタンパあるいはマスターテンプレートを形成することができる。続けてこのスタンパを使用して、形成済みパターンを基板表面上に、他のパターニング方法に比べて比較的低コストでスタンプしまたは生成することができる。形成されたパターンを磁性層で被覆し、独立した磁区を形成することができる。
【発明の開示】
【発明が解決しようとする課題】
【０００６】
パターン化済みスタンパを生成するのに適したある方法では、直接的または間接的のいずれかで電子ビームリソグラフィを用いる。ある実施態様において、電子ビームリソグラフィを用いて、面密度約３００Ｇｂｉｔ／ｉｎ２以上に対応する寸法約２５ｎｍ以下程度のスケールを有するアイランドを生成することができる。これらの高分解能のパターンは、電子産業にて通常利用される、集積回路を製造する技術である光学リソグラフィにより実現できる寸法を上回っている。電子ビーム露光装置は、光学リソグラフィ用マスクを生成するのに使用される装置と同じとすることができる。しかしパターン化メディア用パターンを発生させるには、一般に、従来の電子ビームのマスク発生に必要であるものよりも分解能が高い電子ビーム露光システムを必要とする。
【０００７】
磁気媒体に関連する従来の課題のうちの幾つかを克服するパターン化メディアにより、より大きな面密度および記憶容量を有する記憶媒体を有利に提供することができる。しかし、パターン化メディアの大量生産は、パターン化メディアが容易に市販されることを妨げてきた幾つかの課題を露呈している。
【０００８】
第一に、通常は所定のパターンが形成されて記憶媒体またはディスクの基板となるため、トラックおよびビット整列は、従来の磁気媒体で一般になされるように、サーボライティング工程中ではなく製造中に決定される。したがって、記憶装置および読み書き機構は、予備成形されたトラックに沿って進み、例えばセンタリング誤差、形状のむら等の誤差を補償できなければならない。理想的には、パターン化メディア内の位置ずれ特性にも拘らず、サーボ系が効率的に機能できるはずである。しかし、浮上速度が大きく、読み書きデータに関連する特性は小さいものであるため、現在利用可能なサーボ系はパターン化メディア内の些細な変動にしか適応できない。
【０００９】
第二に、電子ビームリソグラフィを用いて高分解能パターンを描画することによりマスターテンプレート用パターンを生成することは、法外に時間のかかるものとなり得る。通常、最高分解能で動作する電子ビームリソグラフィ装置は、最小ビーム寸法および非常に限定された電流を使用している。パターンの細部、有効なビーム電流、選択されるレジストの感度、および段の機械的動作に関する時間によって、ディスク表面全体にパターンを生成するのに必要な総描画時間は、パターンの寸法によっては完了するまで数カ月から数年を要することがある。パターンが大きくなると、完了に必要となる時間も増える。関連する費用や電子ビーム描画システムの精密さを考慮すれば、長期にわたる描画時間は受け入れられないことがある。場合によっては、電子ビームは、電子ビーム描画工程の完了よりずっと前に不良となる可能性がある。
【００１０】
電子ビームで描画されるパターンの寸法を低減するための意図される解決とは、電子ビームリソグラフィにより小セクションのパターンを生成し、次に、他の方法によりそのセクションを複製することである。メディアパターンは周期的となる傾向があるので、反復されるパターン化済みセクションは重大な問題は引き起こさない。しかし、複数のセクションを記憶媒体の表面上に形成と、ディスク周辺の個々のデータトラックの連続性に影響する幾つかの物理的制限を生じる。パターン特性のスケールのため、個々のセクションからのトラックセグメントの完璧な位置合わせはほぼ不可能であり、予測できる将来では実用向けには費用がかかりすぎると思われる、極端に高感度な製造環境が必要となるであろう。さらに、費用効果のより高い生産環境からのずれの生じたメディアトラックは、パターン化済みセクション間の移行時に、サーボ系を妨害することがある。
【００１１】
以上の検討から、費用効果の高い生産環境で生成された不連続的メディアトラックにアクセスするための方法、装置、およびシステムの必要性が存在するということが明らかとなるはずである。有利なことに、このような装置、システム、および方法により、記憶媒体が所定の記憶領域の面密度および記憶容量を最大にすること、および高分解能のパターン化メディアを経済的かつ効果的に実施することが可能となろう。
【課題を解決するための手段】
【００１２】
本発明は当技術分野の現状に応えて、特に、現在利用可能な記憶媒体では完全に解決されていない当技術分野における問題および必要性に応えて開発された。従って、本発明は、上記で検討した当技術分野における欠点の多くあるいは全てを克服する、不連続的メディアトラックにアクセスするための装置、システム、および方法を提供するために開発された。
【００１３】
一実施態様において、装置は記憶媒体上の不連続的メディアトラックにアクセスするが、この記憶媒体は、その上に独立して形成される二つ以上の記憶領域を有する。各記憶領域は１組のトラックセグメントを含むことができる。ある実施態様において、メモリが設けられて各記憶領域にオフセット情報を記憶する。オフセット情報は単数または複数のトラックセグメントに対応することができる。一実施態様において、各トラックは、各記憶領域からの一つのトラックを含むのが好ましい、近接して並んだトラックセグメントの集合体と定義される。
【００１４】
一実施態様において、装置は単数または複数の被スタンプ記憶領域を含む。被スタンプ記憶領域は、電子ビームリソグラフィにより直接的または間接的にパターン化されたマスターテンプレートから形成することができる。その結果、選択されたメディアパターンを小さい面積または記憶領域で形成することができ、複製して記憶媒体、例えばディスクの表面を被覆することができる。
【００１５】
装置には、トラッキング・モジュールを含む論理演算装置を設けることができ、このトラッキング・モジュールは、必要なステップ、すなわち現在の記憶領域内でヘッド位置を検出するステップと、オフセット情報にアクセスするステップと、後続の記憶領域内の近接して並んだトラックセグメントに記憶ヘッドを位置合わせするステップとを機能的に実行するように構成されている。さらなる実施態様において、マッピング・モジュールが、ヘッド位置決めおよびオフセット情報を記録することができ、記憶領域内の単数または複数のトラックセグメントの場所を規定するテーブルを作成することができる。続いてテーブルをメモリ内に記憶させることができる。ある実施態様において、マッピング・モジュールはさらに、隣接する記憶領域間の物理的オフセットを計算する。その結果、メモリ内に記憶されたオフセット情報を参照することにより、記憶装置が不連続的メディアトラックにアクセスすることができる。
【００１６】
不連続的メディアトラックにアクセスするための本発明のシステムも示される。具体的には、一実施態様において、このシステムは記憶装置を含み、この記憶装置は、独立して形成された記憶領域を備えた記憶媒体と、コンピュータ等の記憶アクセス装置とを有する。各記憶領域は、トラックセグメントは不連続なトラックの一部を形成できる単数または複数のトラックセグメントを含む。記憶装置は各記憶領域に関するオフセット情報を記憶することができる。一実施態様において、記憶媒体上に各トラックセグメントに関するオフセット情報が記憶される。加えて、記憶装置は、現在の記憶領域内でヘッド位置を検出し、オフセット情報にアクセスし、後続の記憶領域内の近接して並んだトラックセグメントに記憶ヘッドを位置合わせすることができる。ある実施態様において、記憶装置はマッピング工程中にオフセット情報を収集することができる。
【００１７】
不連続的メディアトラックにアクセスするための本発明の方法も示される。開示される実施態様における方法は複数のステップを実質的に含み、これらのステップは、記載される装置およびシステムの運用に関して上記で示された機能を実行するのに必要である。一実施態様において、この方法は、独立して形成された記憶領域を上に有する記憶媒体を提供するステップと、現在の記憶領域内でヘッドの位置を検出するステップと、後続の記憶領域内の近接して並んだトラックセグメントに対応するトラック・オフセット情報にアクセスするステップと、ヘッド位置を調整し、後続の記憶領域内の近接して並んだトラックセグメントに位置合わせするステップとを含む。
【００１８】
一実施態様において、後続の記憶領域は、現在の記憶領域に隣接する記憶領域である。選択的な実施態様において、後続の記憶領域は、現在の記憶領域には隣接しない記憶領域を含む。したがって、ヘッドは、記憶領域が連続的でも非連続的でも、指定されたトラックセグメントに位置合わせすることができる。一実施態様において、トラック・オフセットに適応するための時間をヘッドに提供するために２：１インターリーブ方式が用いられる。
【００１９】
この方法はさらに、記憶媒体をマッピングして種々のトラックセグメントの場所を決定するステップを含む。一実施態様において、マッピング工程は製造中に実施される。代わりに、マッピング工程をフォーマット操作に応えて実施することができる。一実施態様において、マッピングするステップは、隣接する記憶領域間の物理的オフセットを計算するステップを含む。ある実施態様において、ヘッドの位置決めおよびオフセット情報は、不揮発性メモリに記録したり記憶させたりすることができる。
【００２０】
さらなる実施態様において、この方法は、各記憶領域からのトラックセグメントを有するトラックを規定するステップを含む。トラックセグメントは、後続の記憶領域内の近接して並んだトラックセグメントとすることができる。トラックにアクセスするステップは、現在の記憶領域から隣接しない記憶領域へ進むステップを含むことができる。代わりに、ヘッドは、現在の記憶領域から隣接する記憶領域へ進むことによりトラックにアクセスすることができる。
【００２１】
この方法はさらにテーブルを作成するステップを含むことができ、このテーブルは、記憶領域内の単数または複数のトラックセグメントの場所を規定する。続いてこのテーブルをメモリ内に記憶することができる。結果として、メモリ内に記憶されたオフセット情報を参照することにより、個々に形成された記憶領域上に設置されているトラックセグメントにアクセスすることができる。
【００２２】
本明細書を通じての特性および利点の参照、または同様の用語は、本発明により実現可能なこれらの全ての特性および利点が本発明の任意の単一の実施態様にあるはずである、または実際にあるということを意味しない。むしろ、特性および利点を参照する用語は、実施態様に関連して記載される具体的特性、利点、あるいは特徴が本発明の少なくとも一つの実施態様に含まれるということを意味すると理解される。したがって、本明細書を通じての特性および利点の検討、ならびに同様の用語は、同じ実施態様を参照することができるが、必然的なものではない。
【００２３】
さらに、記載される本発明の特性、利点、および特徴は、単数または複数の実施態様において任意の好適な方法で組み合わせることができる。本発明は特定の実施態様の具体的特性または利点のうちの単数または複数を用いずに実施できることを当業者ならば理解するであろう。他の例において、本発明の全ての実施態様に存在するとは限らない付加的特性および利点を、ある種の実施態様において理解することができる。
【００２４】
本発明により、記憶装置は、独立して形成された二つ以上の記憶領域、例えば不正確なパターン複製により形成されたパターン化メディア表面を含む記憶媒体上のデータを記憶して、これにアクセスすることが可能となる。トラッキング・モジュールにより、種々の記憶領域からのトラックセグメントを含む不連続的メディアトラックにアクセスすることが可能となる。本発明のこれらの特性および利点は、以下の説明および添付の請求項から、より完全に明らかになろう。または、これらの特性および利点を、以下で説明する本発明の実施により知り得ることができる。
【００２５】
本発明の利点を容易に理解するために、簡潔に上述された本発明のさらに具体的な説明が、添付の図面に示される具体的な実施態様を参照することにより与えられる。これらの図面は単に本発明の一般的な実施態様を描いているにすぎず、したがってその範囲を限定するものと見なされるべきではないということが理解されつつ、付加的特性および詳細について添付の図面を用いて本発明が記載、説明される。
【発明の効果】
【００２６】
本発明によれば、記憶装置は、独立して形成された二つ以上の記憶領域、例えば不正確なパターン複製により形成されたパターン化メディア表面を含む記憶媒体上のデータを記憶して、これにアクセスすることが可能となる。
【発明を実施するための最良の形態】
【００２７】
本明細書に記載される機能ユニットのうちの多くは、より具体的にそれらの実装の独立性を強調するため、モジュールと呼ばれてきた。モジュールは例えば、カスタムＶＬＳＩ回路またはゲート・アレイを含むハードウェア回路、論理チップ、トランジスタ等の民生用半導体、あるいはその他の個別部品として実装することができる。またモジュールは、例えばフィールド・プログラマブル・ゲート・アレイ、プログラマブル・アレイ論理、プログラマブル論理装置等のプログラマブル・ハードウェア装置に実装することもできる。
【００２８】
また、モジュールをソフトウェアに実装して、種々の型のプロセッサで実行することもできる。例えば、実行コードの識別モジュールが、コンピュータ命令の単数または複数の物理的または論理的ブロックを含むことができ、例えばこれらの命令を目的、手順、あるいは機能として統合することができる。それでも、識別モジュールの実行コードは物理的に共に設置される必要はなく、異なる場所に記憶される異種の命令を含むことができ、これらの命令は論理的に結合されるとモジュールを構成し、モジュールのための規定された目的を達成する。
【００２９】
実際に、実行コードのモジュールは単一の命令であっても多数の命令であってもよく、幾つかの異なるコード・セグメントにわたり、異なるプログラム間で、および幾つかのメモリ素子の各所で分散することさえできる。同様に、作業データを識別して本明細書ではモジュール内に表すことができるとともに、任意の好適な形態に組み込み、任意の好適な型のデータ構造内で統合することができる。作業データは単一のデータの組として収集することができ、または異なる記憶装置全体を含む、異なる場所全体に分散させることができ、また、単にシステム上またはネットワーク上の電気信号として少なくとも部分的に存在することもできる。
【００３０】
本明細書を通じて「一実施態様」、「実施態様」、あるいは同様の用語を参照するということは、実施態様に関連して記載される具体的特性、構造、あるいは特徴が本発明の少なくとも一つの実施態様に含まれるということを意味する。したがって、本明細書を通じて表現「一実施態様において」、「実施態様において」、および同様の用語のあるところは全て同じ実施態様を参照することができるが、必然的なものではない。
【００３１】
図１は、本発明の不連続的メディアトラック・アクセスシステム１００の一実施態様を描写する。描かれている実施態様において、トラック・アクセスシステム１００は、記憶装置１１０と、記憶アクセス装置、例えばコンピュータ１２０とを含む。図示するように、記憶装置１１０は、記憶媒体１３０と、トラッキング・モジュール１４０と、オプションのマッピング・モジュール１５０と、メモリ１６０とを含む。コンピュータ１２０は記憶媒体１３０上に記憶された情報にアクセスする。トラッキング・モジュール１４０、マッピング・モジュール１５０、およびメモリ１６０により、記憶媒体１３０上に形成されるトラックセグメントの設置が容易になる。
【００３２】
高密度の記憶を提供するために、記憶媒体１３０は独立して形成された記憶領域を含むことができ、その結果、上記で検討したように、不連続的メディアトラックが生じる。記憶領域を独立して形成すると、効果的で費用効果の高い高密度の記憶媒体の製造に貢献できる。トラッキング・モジュール１４０は、記憶媒体１３０上に形成されたトラックセグメントに対する読み書き機構、例えばヘッドの位置を検出する。トラッキング・モジュールは、メモリ１６０内に記憶されるオフセット情報にアクセスして、後続のトラックセグメントに対する位置決めに備えることができる。
【００３３】
マッピング・モジュール１５０はディスクなどである記憶媒体１３０表面をマッピングし、オフセット情報の収集を可能にする。オフセット情報は、トラックセグメントの場所や形成された記憶領域の物理的オフセットに関する情報を含むことができる。一実施態様において、マッピング・モジュールはメモリ１６０内の情報を記憶する。その結果、トラッキング・モジュール１４０は、記憶されたオフセット情報を参照し、記憶装置１１０のヘッドを位置決めすることができる。
【００３４】
ある実施態様において、トラッキング・モジュール１４０およびマッピング・モジュール１５０を記憶装置１１０内で組み合わせることができる。代わりに、マッピング・モジュール１５０を独立させることができ、および個別の装置に設置することができる。
【００３５】
図２は、図１に描かれる記憶媒体１３０の一実施態様をさらに詳細に示す。描かれる実施態様において、記憶媒体１３０はディスク２００であり、このディスクは多数の記憶領域２１０を形成するようにスタンプされている。代わりに、記憶媒体１３０は、独立して形成される種々の記憶領域２１０内の情報を記憶するように構成された、任意の媒体とすることができる。
【００３６】
独立して形成される記憶領域２１０は、様々な方法により形成できるということを当業者ならば理解するであろう。ある実施態様において、単一の記憶領域２１０に対応する「マザー（mother）」または「ファーザー（father）」として通常知られているマスターテンプレートを使用して、多数の記憶領域２１０を含む「ドーター（daughter）」テンプレートを形成することができる。一実施態様において、ドーターテンプレートを使用して、１回の操作でディスク２００全体がスタンプされる。別の実施態様において、ディスク２００は単一のテンプレートにより何度もスタンプされる。
【００３７】
記憶領域２１０は多数のトラックセグメント２２０を含むことができ、このトラックセグメントは、単数または複数のトラック２３０を形成するように選択することができる。一実施態様において、トラック２３０は各記憶領域２１０からのトラックセグメント２２０を含む。トラック２３０を形成するように選択されるこれらのトラックセグメント２２０は、後続の記憶領域２１０内で最も近接して並んだ、あるいは２番目に近接して並んだトラックセグメント２２０とすることができる。
【００３８】
ある実施態様において、図に描かれているように、これらの記憶領域２１０を相互に隣接して設置することができる。記憶領域２１０は未定形の領域等により離間することもできるが、隣接する記憶領域２１０により、記憶媒体１３０は限定された表面積内で最大記憶密度を提供することができる。記憶媒体１３０は、様々な寸法および数の記憶領域２１０を有することができる。加えて、形成される記憶領域２１０は寸法および型を交互にしてもよく、一定でなくてもよい。記憶領域２１０間のオフセットは、単数または複数の物理的寸法または方向に対応することができる。例えば、オフセットは半径方向、円周方向、回転方向、水平方向、横方向等とすることができる。
【００３９】
パターン化済み記憶領域２１０が様々な方法により形成できるということを当業者はさらに理解するであろう。例えば記憶領域２１０は、インプリント・リソグラフィ等の技術によりインプリントして、パターン化されたトラックセグメント２２０を形成することができる。代わりに、シャドーマスキング等の方法を用いることができる。その他の実施態様において、選択的な工程を用いて、データを記憶できる、マルチグレイン媒体、単一ドメイン・アイランド、あるいはその他の形態のトラックセグメント２２０を形成して記憶領域２１０とすることができる。したがって、本発明は図示する実施態様に限定されるものではない。
【００４０】
選ばれた実施態様において、電子ビームリソグラフィによりパターン化されたマスターテンプレートでレジスト層をインプリントすることで、単数または複数の記憶領域２１０が記憶媒体１３０の基板上にスタンプされる。続いてパターンを基板の表面にエッチングすることができる。基板上には多数の記憶領域２１０を同時に、または個々に形成することができる。
【００４１】
ある実施態様において、形成された記憶領域２１０は、約１５〜３０ｎｍの範囲の寸法を備えたパターン化後の特徴を有する。高分解能特性を有する高密度のメディアパターンにより、より大きい量のデータをより小さい領域に記憶することが可能となる。一方で既述のように、隣接する記憶領域２１０においてトラックセグメント２２０を完璧に位置合わせすることは、特にナノスケールのメディアパターンを扱う場合、達成するのが極めて難しい。一方、ある実施態様において、複数の記憶領域２１０が互いに近くでほぼ並んで位置すれば、面密度をより大きくすることができる。さらに、記憶媒体１３０上のデータストアに効果的にアクセスするために、読み書き機構、例えばディスクドライブのヘッドの精密な位置決めが必要となることがある。トラックセグメント２２０にわたり読み書き機構を再度位置決めするための付加的なトラッキング情報および時間があれば、記憶領域２１０のオフセットにより生じた混乱を補償することができる。
【００４２】
次に図１、図２を参照すると、不連続的メディアトラック２３０にアクセスするために、トラッキング・モジュール１４０は、記憶領域２１０内のトラックセグメント２２０の中央線に対するヘッドの位置を検出することができる。各記憶領域２１０に関するオフセット情報はメモリ１６０内に記憶することができる。結果として、トラッキング・モジュール１４０は、記憶領域２１０の所望のトラックセグメント２２０にわたりヘッドを的確に位置決めする目的でオフセット情報にアクセスすることができる。一実施態様において、記憶領域２１０内のトラックセグメント２２０の場所を規定するテーブル内に、オフセット情報を記憶することができる。
【００４３】
図３はマッピング・テーブル３００の１例を示しており、このマッピング・テーブルは、種々の記憶領域２１０の各トラックセグメント２２０に関するオフセット情報を含む。オフセット情報は、単数または複数の手順を実行して、記憶領域２１０内の少なくとも一つのトラックセグメント２２０の場所を決定することで決定できる。一実施態様において、トラックセグメント２２０の場所は、後続の記憶領域２１０の近接して並んだトラックセグメントを設置することにより決定することができる。別のトラックセグメント２２０の相対的場所により規定されたオフセットを記録して、これをトラックセグメント２２０にアクセスするのに用いることができる。トラックセグメント２２０の場所に関するオフセット情報を規定して記憶するための、選択的な方法を用いることができることを当業者ならば理解するであろう。したがって、本発明は開示された実施態様に限定されるものではない。
【００４４】
続く概略流れ図は、論理的流れ図として概ね説明されている。このような流れ図として描かれている順序および分類されるステップは、提示される方法の一実施態様を示している。図示されている方法の単数または複数のステップ、またはその一部と機能、論理、あるいは効果において等しい、その他のステップおよび方法が着想され得る。加えて、使用されている形式および記号は方法の論理的ステップを説明するために設けられるものであり、方法の範囲を限定するものではないことが了解されている。加えて、具体的な方法が行われる順序は、図示されている対応するステップの順序に厳密に従ってもよいし、従わなくてもよい。
【００４５】
図４は本発明のアクセス方法４００の一実施態様を示す。描かれているように、アクセス方法４００は、独立して形成された記憶領域２１０を有する記憶媒体を提供するステップ４０２と、トラック・オフセット情報を収集するステップ４０４と、記憶領域２１０内でヘッド位置を検出するステップ４０６と、トラック・オフセット情報にアクセスするステップ４０８と、ヘッド位置を調整して別の記憶領域２１０内の近接して並んだトラックセグメントに位置合わせするステップ４１０とを含む。
【００４６】
不連続的メディアトラック２３０にアクセスするためのアクセス方法４００により、製造業者は記憶密度がより大きい実現可能な記憶媒体１３０をより効果的に製造し、これにアクセスすることができる。アクセス方法４００と図５のテーブル作成方法５００とを、図１〜図３に示す実施態様を参照して検討する。一方で、これらの方法は様々な実施態様および／または構成により実現することができ、したがって描かれている実施態様に限定されるものではないことを当業者ならば理解するであろう。
【００４７】
アクセス方法４００が開始し、独立して形成された多数の記憶領域２１０を有する記憶媒体１３０が提供される（４０２）。これらの記憶領域２１０は独立して形成されるため、記憶領域２１０のトラックセグメント２２０は隣接する記憶領域２１０からオフセットすることができる。トラックセグメント２２０に対してヘッドを適切に位置決めするために、隣接する記憶領域２１０間の物理的オフセットが決定される。
【００４８】
一実施態様において、トラッキング・モジュール１４０はヘッド位置決めを検出し記録する。ヘッドがトラックセグメント２２０を検出するので、トラック・オフセット情報を決定することができ、この情報をメモリ１６０に記憶することができる。ある実施態様において、マッピング・モジュール１５０は隣接する記憶領域間の物理的オフセットを計算する。続いて、決定されたトラック・オフセット情報を用いてトラック・オフセット情報を収集することができる（４０４）。一実施態様において、トラック・オフセット情報のテーブル３００を作成し、このテーブルをメモリ１６０内に記憶させることができる。オフセット情報テーブル３００の作成方法の一実施態様を、図５についてさらに詳細に検討する。
【００４９】
さらなる実施態様において、トラック２３０を規定することができる。ある実施態様では、メディアトラック２３０は各記憶領域２１０からのトラックセグメント２２０を含むことができる。トラックセグメント２２０は、異なる記憶領域２１０からのトラックセグメント２２０の中央線からオフセットした、規定された中央線を含むことができる。それ故に、メディアトラック２３０は、隣接するトラックセグメント２２０の中央線に近接して並んだ中央線を有する隣接する記憶領域２１０からの、トラックセグメント２２０を含むことができる。代わりに、メディアトラック２３０は、隣接しない記憶領域２１０上で近接して並んだトラックセグメント２２０を含むことができる。ある実施態様において、マッピング・モジュール１５０および／またはトラッキング・モジュール１４０は、並んでいない記憶領域２１０のメディアトラック２３０を規定することができる。
【００５０】
様々な方法および構成により、不連続的メディアトラック２３０にアクセスすることができる。一実施態様において、記憶媒体１３０は九つの隣接する記憶領域２１０を含み、これらの記憶領域は同じように形成されて、ディスク２００上で均一に分散している。続いて、図２で図示するように、トラック２３０は２：１インターリーブ方式で規定することができる。その結果、ディスク２００が２回転すれば全トラック２３０上に記憶されたデータにアクセスすることができる。例えば２：１インターリーブ方式など連続的な記憶領域２１０間に散在する中間記憶領域２１０を用いることで、サーボ修正を実行するための、および／または、後続のトラックセグメント２２０を設置するための時間および空間が得られる。したがって、中間記憶領域の配分により、本発明は、不連続的媒体、例えば不正確なパターン複製により形成されたパターン化メディアに、効果的に機能することが可能となる。
【００５１】
ヘッド位置決めを決定するために、記憶装置１１０またはトラッキング・モジュール１４０は、現在の記憶領域２１０内のトラックセグメント２２０の中央線に対する記憶装置１１０のヘッドを検出する（４０６）。ヘッドの現在の位置が決定されると、トラック・オフセット情報にアクセスして（４０８）、後続の記憶領域２１０でヘッドを位置決めするのに必要な物理的調整を決定することができる。
【００５２】
一実施態様において、ヘッド位置が調整され（４１０）、別の記憶領域２１０内の最も近接して並んだトラックセグメント２２０に位置合わせされる。トラッキング・モジュール１４０はメモリ１６０内の記憶されたトラック・オフセット情報にアクセスすることができ、後続の記憶領域２１０内で、決定されたトラック・オフセットに対してヘッドを位置合わせすることができる。その結果、アクセス方法４００により、記憶媒体１３０上の多数の記憶領域２１０に記憶されたデータへのアクセスが可能となる。記憶領域２１０内の選択されたトラックセグメント２２０に対してヘッドが正しく位置決めされるように、記憶領域２１０間の物理的オフセットを決定して記憶することができる。
【００５３】
図５は本発明のテーブル作成方法５００の一実施態様を示す流れ図である。テーブル作成方法５００は、記憶媒体をマッピングするステップ５０２と、隣接する記憶領域２１０間の物理的オフセットを決定するステップ５０４と、各記憶領域２１０からのトラックセグメント２２０を有するトラック２３０を規定するステップ５０６と、テーブル内のトラック・オフセット情報を統合するステップ５０８と、テーブルをメモリ１６０内に記憶するステップ５１０とを含むことができる。テーブル作成方法５００は、図４に関して検討したような、オフセット情報を収集するためのステップ４０４に対応することができる。
【００５４】
一実施態様において、マッピング・モジュール１５０は記憶媒体１３０をマッピングして（５０２）、トラックセグメント２２０の場所を決定する。マッピング・モジュール１５０はさらに、記憶領域２１０間の物理的オフセットを決定することができる（５０４）。代わりに、トラッキング・モジュール１４０は単数または複数のトラックセグメント２２０を設置することができ、隣接する記憶領域２１０間の物理的オフセットを決定することができる（５０４）。トラッキング・モジュール１４０またはマッピング・モジュール１５０は、各記憶領域２１０からのトラックセグメント２２０を有するメディアトラック２３０を規定することができる（５０６）。
【００５５】
一実施態様において、トラッキング・モジュール１４０は、どのトラックセグメント２２０が、隣接する記憶領域２１０に最も近接して並ぶかを決定する。続いて、トラッキング・モジュール１４０は、サーボ系によりアクセスできるトラック２３０を規定することができる。それ故に、記憶領域２１０は製造中、物理的にずれることがあるが、それでもトラッキング・モジュール１４０は、サーボ系内で使用できるアクセス可能なトラック２３０を決定することができる。
【００５６】
単数または複数のテーブル、例えば図３のマッピング・テーブル３００に、後続のトラック・オフセット情報を統合することができ（５０８）、テーブルをメモリ１６０内に記憶することができる。結果として、トラッキング・モジュール１４０は、メモリ内に記憶されたテーブルにアクセスしてヘッド位置決めを決定し、不連続的データトラック２３０上に記憶されたデータにアクセスすることができる。
【００５７】
本発明は、その精神または本質的特徴から逸脱することなく他の特定の形態に組み込むことができる。記載された実施態様は、あらゆる点において例示的にのみ検討するためのものであり、限定的なものではない。したがって本発明の範囲は、以上の説明によってではなく添付の請求項によって表される。本請求項と等価の意味および範囲内で生じるあらゆる変更は、本請求項の範囲内に包含されるべきである。
【図面の簡単な説明】
【００５８】
【図１】本発明の不連続的メディアトラックにアクセスするためのシステムの一実施態様を示す略ブロック図である。
【図２】本発明の記憶媒体の一実施態様の概略上面図である。
【図３】本発明によるマッピング・テーブルの一実施態様を示す図表である。
【図４】本発明のトラックアクセス方法の一実施態様を示す概略流れ図である。
【図５】本発明のテーブル作成方法の一実施態様を示す概略流れ図である。
【符号の説明】
【００５９】
１００…不連続的メディアトラック・アクセスシステム、
１１０…記憶装置、
１２０…コンピュータ、
１３０…記憶媒体、
１４０…トラッキング・モジュール、
１５０…マッピング・モジュール、
１６０…メモリ、
２００…ディスク、
２１０…記憶領域、
２２０…トラックセグメント、
２３０…トラック、
３００…オフセット情報テーブル。
【図１】
2006196154.tif 000003
【図２】
2006196154.tif 000004
【図３】
2006196154.tif 000005
【図４】
2006196154.tif 000006
【図５】
2006196154.tif 000007